(57)【要約】  本発明は、ユーザにとって必要な機能をＧＵＩ上で簡単かつ迅速に呼び出すことができる荷電粒子線装置を提供することを目的とする。本発明に係る荷電粒子線装置は、前記荷電粒子線装置の動作履歴にしたがって、コンポーネントセット上に配置することを推奨する操作コンポーネントを提示する（図５参照）。
2020021649.tif 000002
【特許請求の範囲】
【請求項１】
荷電粒子線を試料に対して照射する荷電粒子線装置であって、
前記荷電粒子線装置の動作を指定する操作を入力するための画面インターフェースを提供するコンピュータを備え、
前記コンピュータは、前記荷電粒子線装置が実施する動作を指定する操作コンポーネントを１以上並べて配置したコンポーネントセットを、前記画面インターフェース上に配置し、
前記コンピュータは、前記動作が実施された履歴を記録するデータベースを格納する記憶装置を備え、
前記コンピュータは、前記データベースが記録している前記履歴にしたがって、前記コンポーネントセット上に配置することを推奨する前記操作コンポーネントを提示する
ことを特徴とする荷電粒子線装置。
【請求項２】
前記データベースは、前記動作が実施された回数を記録し、
前記コンピュータは、前記回数にしたがって各前記操作コンポーネントの優先度を算出し、
前記コンピュータは、前記優先度にしたがって、前記コンポーネントセット上に配置することを推奨する前記操作コンポーネントを提示する
ことを特徴とする請求項１記載の荷電粒子線装置。
【請求項３】
前記データベースは、前記動作が実施された順番を記録し、
前記コンピュータは、前記順番にしたがって、前記コンポーネントセット上に配置する前記操作コンポーネントの順番を推奨する
ことを特徴とする請求項１記載の荷電粒子線装置。
【請求項４】
前記データベースは、前記荷電粒子線装置が第１動作を実施してから次に実施した第２動作の回数を、前記第２動作の種別ごとに記録し、
前記コンピュータは、前記第２動作の回数にしたがって、前記コンポーネントセット上において前記第１動作を呼び出す前記操作コンポーネントの次に配置すべき前記操作コンポーネントを推奨する
ことを特徴とする請求項３記載の荷電粒子線装置。
【請求項５】
前記荷電粒子線装置は、前記荷電粒子線を前記試料に対して照射することにより前記試料の観察画像を取得する装置として構成されており、
前記コンピュータは、前記観察画像の品質を表す評価指標を算出し、
前記コンピュータは、前記評価指標を向上させることができる前記動作を指定する前記操作コンポーネントを、他の前記操作コンポーネントよりも優先して、前記コンポーネントセット上に配置することを推奨する
ことを特徴とする請求項１記載の荷電粒子線装置。
【請求項６】
前記データベースは、前記試料の識別子ごとに前記履歴を記録し、
前記コンピュータは、前記試料の識別子を指定する試料指定を受け取る試料指定インターフェースを有し、
前記コンピュータは、前記試料指定インターフェースによって指定された前記試料の識別子に対応する前記履歴にしたがって、前記コンポーネントセット上に配置することを推奨する前記操作コンポーネントを提示する
ことを特徴とする請求項１記載の荷電粒子線装置。
【請求項７】
前記コンピュータは、前記操作コンポーネントを前記コンポーネントセット上に配置したとき前記コンポーネントセット上において占める画面サイズを計算し、
前記コンピュータは、前記操作コンポーネントを前記コンポーネントセット上に仮配置することにより、前記コンポーネントセットのプレビューを生成し、
前記コンピュータは、前記画面サイズを用いて、前記プレビュー上において前記操作コンポーネントが配置されていない余剰部分のサイズを算出するとともに、その算出した前記余剰部分のサイズを前記プレビュー上において提示する
ことを特徴とする請求項１記載の荷電粒子線装置。
【請求項８】
前記コンピュータは、前記荷電粒子線装置が前記荷電粒子線を照射し始めてから、前記荷電粒子線装置が前記荷電粒子線を照射し終えるまでの間の期間において、前記コンポーネントセット上に配置することを推奨する前記操作コンポーネントを提示する
ことを特徴とする請求項１記載の荷電粒子線装置。
【請求項９】
前記コンピュータは、前記荷電粒子線装置が前記荷電粒子線を照射する第１照射期間が完了してから、前記荷電粒子線装置が前記荷電粒子線を照射する第２照射期間が完了するまでの中間期間において、前記動作を実施した場合は、前記中間期間において実施した前記動作を前記第２照射期間に対応付けて前記データベースに記録する
ことを特徴とする請求項１記載の荷電粒子線装置。
【請求項１０】
前記データベースは、前記試料の識別子ごとに前記履歴を記録し、
前記コンピュータは、前記試料の識別子を指定する試料指定を受け取る試料指定インターフェースを有し、
前記コンピュータは、前記中間期間において、前記試料指定インターフェースを介して前記試料指定を受け取った場合は、前記中間期間において実施した前記動作を、前記試料指定が指定する前記試料の識別子に対応付けて前記データベースに記録する
ことを特徴とする請求項９記載の荷電粒子線装置。
【請求項１１】
前記荷電粒子線装置はさらに、前記荷電粒子線装置の内部を真空排気する排気装置を備え、
前記コンピュータは、前記排気装置が前記真空排気を実施している間の期間において、前記コンポーネントセット上に配置することを推奨する前記操作コンポーネントを提示する
ことを特徴とする請求項１記載の荷電粒子線装置。
【請求項１２】
前記荷電粒子線装置は、前記荷電粒子線として電子線を照射するとともに、前記電子線を前記試料に対して照射する位置を走査することにより、前記試料の観察画像を取得する
ことを特徴とする請求項１記載の荷電粒子線装置。
【発明の詳細な説明】
【技術分野】
【０００１】
本発明は、荷電粒子線装置に関する。
【背景技術】
【０００２】
荷電粒子線装置は、試料に対して実施する機能を組み合わせることにより、様々な動作を実施することができる。このときの観察条件などのパラメータは、レシピなどと呼ばれる。最適なレシピを作成するためには、試行錯誤を要するのが一般的である。これに対して、レシピを効率的に作成することを支援する技術が開発されている。【０００３】
下記特許文献１は、観察装置のレシピについて記載している。同文献は、『観察装置において、初心者であっても、試行錯誤することなく、既存のレシピ設定内容を解析でき、解析結果に基づき、新規のレシピを短時間で作成できるレシピ設定方法、および観察装置を提供する。』ことを課題として、『観察条件を登録したレシピに基づき、登録した観察条件で試料の観察を行う機能を有する観察装置であって、複数のレシピを対象として、複数の設定項目の設定内容を一覧形式で表示し、共通性を解析した結果に基づき、共通性が高い設定内容を初期設定として、新たなレシピを作成することを主要な特徴とする。』という技術を開示している（要約参照）。
【先行技術文献】
【特許文献】
【０００４】
【特許文献１】特開２００９−０３２８００号公報
【発明の概要】
【発明が解決しようとする課題】
【０００５】
特許文献１記載の技術によれば、最適なレシピを効率的に作成することができる。他方で荷電粒子線装置を使用するユーザは、手動または半自動により様々な機能を実施することにより、臨機応変に観察条件や観察箇所を設定する場合がある。この場合、ユーザは必ずしもレシピにしたがって機能を実施するわけではなく、例えばグラフィカル・ユーザ・インターフェース（ＧＵＩ）を通して、手動により様々な機能を呼び出す。【０００６】
しかしながら、荷電粒子線装置が備える機能は多様にわたっているので、それら全ての機能をＧＵＩ上に表示すると、画面構成が煩雑となり、所望の機能をＧＵＩ上で探すことが困難となる。複数の機能を階層的に整理して表示することも考えられるが、この場合は所望の機能にたどり着くまでのＧＵＩ上における操作が煩雑になるだけでなく、荷電粒子線装置が実行可能な機能の存在にユーザが気づけない恐れもある。一方で、ＧＵＩ上に表示する機能の種類を制限してしまうと、ＧＵＩ経由で所望の機能を実行できなくなる可能性があり、荷電粒子線装置の汎用性が低下する。【０００７】
本発明は、上記のような課題に鑑みてなされたものであり、ユーザにとって必要な機能をＧＵＩ上で簡単かつ迅速に呼び出すことができる荷電粒子線装置を提供することを目的とする。
【課題を解決するための手段】
【０００８】
本発明に係る荷電粒子線装置は、前記荷電粒子線装置の動作履歴にしたがって、コンポーネントセット上に配置することを推奨する操作コンポーネントを提示する。
【発明の効果】
【０００９】
本発明に係る荷電粒子線装置によれば、ユーザにとって有用な機能を効率的に呼び出すことができることに加え、ユーザにとって有用性が低い機能を表示しないシンプルなＧＵＩを提供することができる。これにより、荷電粒子線装置を用いた作業のスループットを向上させることができる。
【図面の簡単な説明】
【００１０】
【図１】実施形態１に係る荷電粒子線装置１００の構成図である。
【図２】画像取得装置１１０の構成とコンピュータ１２０との接続を表した図である。
【図３】コンピュータ１２０の構成図である。
【図４】コンピュータ１２０が提供する操作画面４０１の画面構成例である。
【図５】レイアウト変更画面５０１の画面構成例である。
【図６】データベース１２３の構成例を示す図である。
【図７】試料データベース６０１の構成例を示す図である。
【図８】履歴データベース６０２の構成例を示す図である。
【図９】統計データベース６０３の構成例を示す図である。
【図１０】レイアウトデータベース６０４の構成例を示す図である。
【図１１】並びの最適化ボタン５１６が押下されたときコンピュータ１２０が提示する最適化確認画面１１０１の画面構成例である。
【図１２】試料変更画面１２０１の画面構成例である。
【図１３】荷電粒子線装置１００が試料１１５の観察画像を２回取得する動作を説明するフローチャートである。
【図１４】ステップＳ１３０５において確認ダイアログを表示する場合における画面構成例である。
【図１５】荷電粒子線装置１００が試料室を真空排気する際の動作手順を説明するフローチャートである。
【図１６】ステップＳ１５０３において表示する確認ダイアログ１６０１の画面構成例である。
【発明を実施するための形態】
【００１１】
＜実施の形態１＞
図１は、本発明の実施形態１に係る荷電粒子線装置１００の構成図である。荷電粒子線装置１００は、試料に対して荷電粒子線を照射する装置である。以下では例えば走査電子顕微鏡（ＳＥＭ）のように、試料に対して荷電粒子線を照射することにより、試料の観察画像を取得する装置を例として説明する。
【００１２】
荷電粒子線装置１００は、画像取得装置１１０、コンピュータ１２０、ＧＵＩ表示装置１３０、ＧＵＩ操作装置１４０を有する。画像取得装置１１０は、試料に対して荷電粒子線を照射する装置（例えばＳＥＭ）である。コンピュータ１２０は、ユーザが荷電粒子線装置１００を操作するために用いるＧＵＩを生成し、ＧＵＩ表示装置１３０に対して出力する。ＧＵＩ表示装置１３０は、例えばディスプレイデバイスであり、ＧＵＩを画面表示する。ＧＵＩ操作装置１４０は、例えばキーボードやマウスなどのように、コンピュータ１２０を操作するためユーザが用いるデバイスである。
【００１３】
図２は、画像取得装置１１０の構成とコンピュータ１２０との接続を表した図である。荷電粒子銃１１２は、荷電粒子線１１３を発生させる。荷電粒子線１１３は、レンズ１１４を通過することにより、試料１１５に収束する。レンズ１１４は例えば、荷電粒子線を偏向させる荷電粒子レンズ、荷電粒子線を収束させる荷電粒子レンズ、荷電粒子線の非点収差を補正するための荷電粒子レンズ、またはそれらの組み合わせである。
【００１４】
検出器１１７は、荷電粒子線１１３を試料１１５に対して照射することにより生じる荷電粒子１１６を検出し、その検出結果（例えば２次電子の信号強度）を表す検出結果をコンピュータ１２０に対して出力する。コンピュータ１２０（画像処理部１２２）は、その検出結果を用いて、試料１１５の観察画像を生成する。検出器１１７は、荷電粒子を検出するのみでなく、電磁波や光を検出する検出器であってもよい。さらに複数の検出器によって構成してもよい。
【００１５】
ステージ１１９は、試料１１５を載置する。ステージ１１９を移動させることにより、試料１１５の観察位置を変更することができる。排気装置１１１は、試料１１５とステージ１１９を収容する試料室内を真空排気することにより、試料室内の真空度を調整する。
【００１６】
コンピュータ１２０は、画像取得装置制御部１２１と画像処理部１２２を備える。画像取得装置制御部１２１は、画像取得装置１１０の動作を制御する。例えば排気装置１１１、荷電粒子銃１１２、レンズ１１４、ステージ１１９を制御する。
【００１７】
図３は、コンピュータ１２０の構成図である。コンピュータ１２０は、画像取得装置制御部１２１と画像処理部１２２に加えて、データベース１２３と全体制御部１２４を備える。データベース１２３は、後述する各データテーブルを格納する。データベース１２３は例えば、各データテーブル上のレコードを記述したデータを記憶装置に格納することによって構成することができる。全体制御部１２４は、コンピュータ１２０の全体動作を制御する。全体制御部１２４は、データベース１２３との間でデータを読み書きし、後述するＧＵＩを生成してＧＵＩ表示装置１３０に対して出力する。全体制御部１２４は、画像取得装置制御部１２１を介して、ＧＵＩ上におけるユーザの操作にしたがって、画像取得装置１１０を制御する。
【００１８】
図４は、コンピュータ１２０が提供する操作画面４０１の画面構成例である。コンピュータ１２０は、操作画面４０１を生成してＧＵＩ表示装置１３０に対して出力し、ＧＵＩ表示装置１３０は操作画面４０１を画面表示する。操作画面４０１は、観察画像表示欄４０２、ツールバー４０３、レイアウト変更ボタン４０６を有する。
【００１９】
観察画像表示欄４０２は、画像処理部１２２が生成した試料１１５の観察画像を表示する。ツールバー４０３は、荷電粒子線装置１００が備える機能を呼び出すための操作コンポーネントを集約して配置したコンポーネントセットである。ツールバー４０３はさらに全要素表示ボタン４０５を有する。全要素表示ボタン４０５が押下されると、ツールバー４０３内に配置されている操作コンポーネントのうち、画面上に表示しきれないものを表示することができる。レイアウト変更ボタン４０６が押下されると、コンピュータ１２０は後述の図５で説明するレイアウト変更画面５０１を生成してＧＵＩ表示装置１３０へ出力する。
【００２０】
図５は、レイアウト変更画面５０１の画面構成例である。レイアウト変更画面５０１は、全要素リスト５０２、オススメ要素リスト５０３、ツールバーリスト５０４を有する。全要素リスト５０２は、ツールバー４０３上に配置することができる全ての操作コンポーネントのリストである。オススメ要素リスト５０３は、ツールバー４０３上に配置することを推奨する操作コンポーネントのリストである。推奨手順については後述する。ツールバーリスト５０４は、ツールバー４０３上に配置することを決定した操作コンポーネントのリストである。
【００２１】
ユーザは、全要素リスト５０２とオススメ要素リスト５０３それぞれにおいて、ツールバー４０３上に配置する操作コンポーネントを選択し、追加ボタン５０５を押下する。これにより、選択されている操作コンポーネントがツールバーリスト５０４に追加される。ユーザが削除ボタン５０６を押下すると、ツールバーリスト５０４上で選択されている操作コンポーネントがツールバーリスト５０４から削除される。これらボタンに代えてマウスのドラッグ＆ドロップによって同様の操作を実施してもよい。各リスト上の表示位置はスクロールバー５０７によって変更することができる。各リスト上の操作コンポーネントの並び順は、ドラッグ＆ドロップによって変更することができる。
【００２２】
ユーザが保存ボタン５１３を押下すると、コンピュータ１２０はツールバーリスト５０４上の操作コンポーネントとその並び順を、ユーザ定義名または試料１１５の名称と関連付けて、後述するレイアウトデータベース６０４に格納する。レイアウト名表示部５０８は、現在のユーザ定義名を表示する。
【００２３】
ユーザがレイアウト呼び出しボタン５０９を押下すると、コンピュータ１２０は後述するレイアウトデータベース６０４のレコードを画面表示し、ユーザはそのなかから所望のツールバーレイアウトを選択することができる。ツールバーリスト５０４は、ユーザが選択したツールバーレイアウトによって置き換えられる。
【００２４】
プレビュー表示部５１０は、ツールバーリスト５０４上の操作コンポーネントをツールバー４０３上に配置したときの外観をプレビューとして表示する。残り広さ表示部５１１は、ツールバーリスト５０４上の操作コンポーネントをツールバー４０３上に配置した上でなお余剰領域としてツールバー４０３上に残っている部分のサイズを表示する。余剰領域の画面サイズは、操作コンポーネントを配置したときのビットマップサイズを累積することによって特定することができる。ユーザは検索ボックス５１２を用いて操作コンポーネントをキーワード検索することもできる。検索結果は全要素リスト５０２もしくはポップアップに表示することができる。
【００２５】
ユーザがＯＫボタン５１４を押下すると、コンピュータ１２０はツールバーリスト５０４の内容をツールバー４０３に反映する。ユーザがキャンセルボタン５１５を押下すると、コンピュータはツールバーリスト５０４の内容をツールバー４０３に反映しないでレイアウト変更画面５０１を終了する。並びの最適化ボタン５１６については後述する。
【００２６】
図６は、データベース１２３の構成例を示す図である。データベース１２３は、試料データベース６０１、履歴データベース６０２、統計データベース６０３、レイアウトデータベース６０４を有する。統計処理部６０５は、データベース１２３の機能として実装してもよいし、コンピュータ１２０の機能部として実装してもよい。以下では便宜上、データベース１２３の機能とする。各データベースについては図７以降で説明する。統計処理部６０５は、後述する統計処理を実施して各データベースを更新する。
【００２７】
図７は、試料データベース６０１の構成例を示す図である。試料データベース６０１は試料テーブル７０１を有する。試料テーブル７０１は、各試料１１５についての情報を保持するデータテーブルであり、データフィールドとして試料名７０２とサムネイル画像７０３を有する。試料名７０２は、各試料１１５についてユーザが定義した名称である。サムネイル画像７０３としては、後述する観察画像のうち例えば最も画像品質がよいものを選択することができる。具体的には、後述する評価値９０９が総合的に最も高いものを選択すればよい。
【００２８】
図８は、履歴データベース６０２の構成例を示す図である。履歴データベース６０２は履歴テーブル８０１を有する。履歴テーブル８０１は、荷電粒子線装置１００が実施した機能の履歴を記録するデータテーブルである。ここでいう機能は、必ずしもツールバー４０３を介して起動されたものに限られず、荷電粒子線装置１００が備える全ての機能（あるいはツールバー４０３を経由して呼び出すことができる全ての機能）である。
【００２９】
履歴テーブル８０１はデータフィールドとして、試料名８０２、日時８０３、機能８０４、パラメータ８０５を有する。試料名８０２は、試料１１５の名称である。日時８０３は機能を実施した年月日時刻であり、機能８０４はその機能名である。パラメータ８０５は、機能８０４を実施する際のパラメータである。機能８０４が観察画像に関連するものである場合、後述する画像番号８０７をパラメータ８０５として記録してもよい。
【００３０】
履歴データベース６０２はさらに、画像履歴テーブル８０６を有する。画像履歴テーブル８０６は、画像取得装置１１０とコンピュータ１２０が取得した試料１１５の観察画像の履歴を記録するデータテーブルである。画像履歴テーブル８０６はデータフィールドとして、画像番号８０７、画像８０８、観察条件８０９を有する。画像番号８０７は観察画像の識別番号である。画像８０８は観察画像の画像データである。観察条件８０９は、画像８０８を取得したとき荷電粒子線装置１００にセットした観察条件（例えば観察倍率や加速電圧など）である。
【００３１】
図９は、統計データベース６０３の構成例を示す図である。統計データベース６０３は頻度テーブル９０１を有する。頻度テーブル９０１は、荷電粒子線装置１００が実施した機能の頻度統計を記録するデータテーブルであり、履歴テーブル８０１を集計したレコードを記録する。統計処理は例えば統計処理部６０５が実施することができる。
【００３２】
頻度テーブル９０１はデータフィールドとして、試料名９０２、機能９０３、実行回数９０４、次実行回数９０５を有する。試料名９０２は試料１１５の名称である。機能９０３は荷電粒子線装置１００が実施した機能である。実行回数９０４は、荷電粒子線装置１００が機能９０３を実行した合計回数である。次実行回数９０５は、荷電粒子線装置１００が機能９０３を実行した次に実行した機能の名称と合計回数である。ここでいう機能は履歴テーブル８０１におけるものと同様である。
【００３３】
統計データベース６０３はさらに、画像評価値テーブル９０６を有する。画像評価値テーブル９０６は、画像履歴テーブル８０６が保持している画像ごとに、品質評価値を記録するデータテーブルである。品質評価値は、例えば画像処理部１２２または統計処理部６０５が算出することができる。
【００３４】
画像評価値テーブル９０６はデータフィールドとして、試料名９０７、画像番号９０８、評価値９０９を有する。試料名９０７は試料１１５の名称である。画像番号９０８は画像番号８０７に対応する。評価値９０９は、画像品質の評価項目ごとにその評価値を保持する。評価項目としては例えばシャープネス、ＳＮ比、コントラストなどが挙げられる。評価値９０９が高いほど画像品質がよいことを表している。
【００３５】
統計データベース６０３はさらに、必要度テーブル９１０を有する。必要度テーブル９１０は、荷電粒子線装置１００が備える機能の必要度９１２を、頻度テーブル９０１と画像評価値テーブル９０６にしたがって、試料名９１１ごとかつ機能ごとに算出した結果を保持するデータテーブルである。必要度９１２は例えば統計処理部６０５が算出することができる。
【００３６】
必要度９１２を算出する基準として、例えば以下のようなものが考えられる。実行回数９０４が多い機能９０３は必要度が高いと考えられるので、その回数が多いほど必要度９１２を高くすることができる。これとは別に、評価値９０９のなかで特に値が低いものについては、その評価値９０９を上げることができる機能９０３の必要度９１２を高くしてもよい。例えばシャープネスの評価値９０９が低ければ、画像鮮明化機能の必要度９１２を他の機能よりも相対的に高くしてもよい。これらの基準によって算出した必要度を例えば重み付け加算することにより、最終的な必要度９１２を決定してもよい。
【００３７】
図１０は、レイアウトデータベース６０４の構成例を示す図である。レイアウトデータベース６０４は、レイアウトテーブル１００１を有する。レイアウトテーブル１００１はレイアウト変更画面５０１上でユーザがセットしたツールバー４０３のレイアウトを記録するデータテーブルである。レイアウトテーブル１００１は、試料名１００２またはユーザ定義名１００４ごとに、レイアウト１００３を保持する。ここでいうレイアウト１００３は、ツールバーリスト５０４上における操作コンポーネントの並び順であり、ツールバー４０３の左端から順に右側に向かって配置する操作コンポーネントの配置順に相当するものである。
【００３８】
＜実施の形態１：ツールバーに配置する機能の提案＞
全体制御部１２４は、必要度テーブル９１０のレコードにしたがって、ツールバー４０３に配置することを推奨する操作コンポーネントを、オススメ要素リスト５０３上に提示することができる。例えば現在の試料名９１１に対応するレコードを必要度テーブル９１０から読み出し、必要度９１２が高い順にオススメ要素リスト５０３上に配置することができる。
【００３９】
＜実施の形態１：並びの最適化＞
図１１は、並びの最適化ボタン５１６が押下されたときコンピュータ１２０が提示する最適化確認画面１１０１の画面構成例である。並びの最適化ボタン５１６が押下されると、全体制御部１２４はツールバーリスト５０４上の操作コンポーネントの並び順を最適化し、その結果を最適化確認画面１１０１上に表示する。
【００４０】
最適化確認画面１１０１は、最適化前プレビュー１１０２、最適化後プレビュー１１０３を有する。最適化前プレビュー１１０２は、ツールバーリスト５０４上の操作コンポーネントの並び順にしたがってツールバー４０３上に操作コンポーネントを配置したときのツールバー４０３の画面表示プレビューである。最適化後プレビュー１１０３は、並び順を最適化した後のツールバー４０３の画面表示プレビューである。ユーザがＯＫボタン１１０４を押下した場合は、最適化後プレビュー１１０３の並び順をツールバー４０３に対して反映し、ユーザがキャンセルボタン１１０５を押下した場合は反映しない。
【００４１】
全体制御部１２４は、統計データベース６０３のレコードにしたがって、ツールバーリスト５０４上の操作コンポーネントの並び順を最適化することができる。例えば、機能９０３と次実行回数９０５を参照し、ある機能９０３の次に連続して実行される頻度が高い機能が存在する場合は、ツールバー４０３上でそれらを隣接して配置する。例えば図９の例においては、機能Ｅ２の次に機能Ｅ１が実行される頻度が相対的に高いことが分かる。これにより、機能を連続して実行する際における操作画面４０１上の操作量を減らすことができるので、荷電粒子線装置１００のスループットが向上する。
【００４２】
＜実施の形態１：試料変更＞
図１２は、試料変更画面１２０１の画面構成例である。試料変更画面１２０１は、試料１１５を変更したことを荷電粒子線装置１００に対して通知するための画面である。本実施形態１においては、試料１１５の名称ごとに機能の実行履歴を記録し、さらには試料１１５の名称ごとにツールバー４０３上に配置する機能と並び順を最適化する。したがって試料１１５を変更したことを通知するのは、変更後の試料１１５に対応する各種処理を実施するように、荷電粒子線装置１００に対して指示する意義がある。
【００４３】
全体制御部１２４は、試料テーブル７０１から試料名７０２とサムネイル画像７０３を読み出し、リスト１２０２上に表示する。ユーザはリスト１２０２からいずれかの試料を選択することにより、試料１１５をその選択した試料へ変更したことを、荷電粒子線装置１００に対して通知することができる。スクロールバー１２０３をスライドさせることにより、リスト１２０２に収まりきらないその他試料を表示することができる。
【００４４】
ユーザは検索ボックス１２０４を用いて試料名７０２を指定することができる。指定した試料名７０２に対応する試料テーブル７０１上のレコードが、リスト１２０２上に表示される。ユーザが追加ボタン１２０５を押下すると、全体制御部１２４は、検索ボックス１２０４に入力されている試料名７０２を有するレコードを試料テーブル７０１に対して追加する。ユーザがＯＫボタン１２０６を押下すると、試料１１５をリスト１２０２上で選択されている試料に変更した旨を、荷電粒子線装置１００に対して（具体的にはコンピュータ１２０に対して）通知する。
【００４５】
＜実施の形態１：まとめ＞
本実施形態１に係る荷電粒子線装置１００は、機能を実行した履歴を履歴データベース６０２に記録しておき、その履歴にしたがって、ツールバー４０３に配置する操作コンポーネントを推奨する。これにより、ツールバー４０３のカスタマイズをアシストするだけでなく、ユーザが気づいていない荷電粒子線装置１００の有用な機能を利用できるようにすることができる。多数の機能群のなかからユーザ自身にとって必要なものを選択するのは困難であるが、本実施形態１によりこれを効果的に支援することができる。ツールバー４０３上の操作コンポーネントを最適化することにより、操作効率を高めることにつながるので、荷電粒子線装置１００のスループットを向上させることもできる。
【００４６】
本実施形態１に係る荷電粒子線装置１００は、レシピ機能のように連続実行する機能を指定するのではなく、ツールバー４０３上に配置する操作コンポーネントを推奨するものである。したがって、ユーザは必ずしもツールバー４０３上の並び順にしたがって機能を実行する必要はないので、臨機応変に機能実行シーケンスを変更することができる。これにより、操作コンポーネントを推奨することにより効率性を高めつつ、高い汎用性を維持することができる。
【００４７】
本実施形態１に係る荷電粒子線装置１００は、試料変更画面１２０１を介して、試料１１５を変更した旨の通知を受け取ることができる。したがってユーザは、試料を視覚的に選択することができる。これにより、文字で試料を選択するよりも効率が向上するので、試料選択に掛かる時間を短縮できる。
【００４８】
＜実施の形態２＞
画像取得装置１１０とコンピュータ１２０が、試料１１５の観察画像を取得するためには、ある程度の処理時間が必要となる場合がある。本発明の実施形態２では、この処理時間を利用して、ユーザが画面上で様々な操作を実施する動作例を説明する。荷電粒子線装置１００の構成は実施形態１と同様である。
【００４９】
図１３は、荷電粒子線装置１００が試料１１５の観察画像を２回取得する動作を説明するフローチャートである。ここでは同じ試料１１５に対して、ステージ１１９を移動させて観察位置を変更し、各観察位置における観察画像をそれぞれ取得する場面を想定する。以下図１３の各ステップについて説明する。
【００５０】
（図１３：ステップＳ１３０１〜Ｓ１３０２）
ユーザは、現在の試料１１５および観察位置において、観察条件８０９をセットするなど各種機能を実行する（Ｓ１３０１）。画像取得装置１１０とコンピュータ１２０は、試料１１５の観察画像を取得する（Ｓ１３０２）。ここではステップＳ１３０１のなかで、現在の試料１１５の名称をユーザが指定したものと仮定する。
【００５１】
（図１３：ステップＳ１３０３〜Ｓ１３０４）
ユーザは、ステージ１１９を移動させて観察位置を変更し、ステップＳ１３０１と同様に各種機能を実行する（Ｓ１３０３）。画像取得装置１１０とコンピュータ１２０は、移動後の観察位置において試料１１５の観察画像を取得する（Ｓ１３０４）。
【００５２】
（図１３：ステップＳ１３０５）
ユーザは、ステップＳ１３０４がある程度の時間を必要とすることに鑑みて、ステップＳ１３０４が完了するまでの間において、試料変更画面１２０１を呼び出す。ユーザは試料変更画面１２０１上において、試料１１５の新たな名称をセットする。例えば同じ試料上において観察位置を変更した旨を表す試料名をセットする。
【００５３】
（図１３：ステップＳ１３０５：補足）
一般に観察画像を取得する対象は、観察画像を１回取得するごとに変更することが多いといえる。本フローチャートにおいては、ステップＳ１３０２において既に観察画像を取得済である。したがって本ステップにおいて入力した試料名は、ユーザとしてはステップＳ１３０４において取得する観察画像に対応付けることを意図していると考えられる。コンピュータ１２０はこれにしたがって以下のステップを実行する。本ステップにおいて、後述の図１４で例示するような確認ダイアログを表示してもよい。
【００５４】
（図１３：ステップＳ１３０６）
全体制御部１２４は、ステップＳ１３０３〜Ｓ１３０５の間に実施した機能について履歴テーブル８０１に記録した場合は、それらのレコードのうち試料名８０２について、ステップＳ１３０５で入力した試料名に置き換える。これらの機能はステップＳ１３０４に対応する試料に対して実施されたものだからである。
【００５５】
（図１３：ステップＳ１３０７〜Ｓ１３０８）
全体制御部１２４は、これまで取得した観察画像を画像履歴テーブル８０６に記録し（Ｓ１３０７）、統計データベース６０３の各テーブルを更新する（Ｓ１３０８）。
【００５６】
図１４は、ステップＳ１３０５において確認ダイアログを表示する場合における画面構成例である。確認ダイアログ１４０１は、変更ボタン１４０２とキャンセルボタン１４０３を有する。ユーザが変更ボタン１４０２を押下した場合はステップＳ１３０６以降を実施する。ユーザがキャンセルボタン１４０３を押下した場合はステップＳ１３０６をスキップし、ステップＳ１３０７以降を実施する。
【００５７】
本実施形態２によれば、観察画像を取得するために必要な時間を有効活用することができる。具体的には、観察画像を取得するためには、検出器１１７の信号を積算し、低ノイズの画像を取得するための様々な画像処理を実施する必要がある。これらの処理はある程度の時間を必要とするので、本実施形態２によってその時間を有効活用できる。
【００５８】
＜実施の形態３＞
画像取得装置１１０は、排気装置１１１によって試料室を真空排気する。真空排気はある程度の時間を要する機能であり、また排気装置１１１の性能によってはさらに多くの時間を必要とする。本発明の実施形態３では、その排気時間を用いて、ユーザが画面上で様々な操作を実施する動作例を説明する。荷電粒子線装置１００の構成は実施形態１と同様である。
【００５９】
図１５は、荷電粒子線装置１００が試料室を真空排気する際の動作手順を説明するフローチャートである。排気装置１１１が真空排気を開始すると、コンピュータ１２０は本フローチャートを開始する。以下図１５の各ステップについて説明する。
【００６０】
（図１５：ステップＳ１５０１）
コンピュータ１２０は、確認ダイアログ１４０１と同様のダイアログを画面表示する。本ステップは、コンピュータ１２０が現在用いている試料名と、実際の試料１１５とが対応しているか否かを、ユーザが確認するように促す意義がある。ユーザが変更ボタンを押下した場合はステップＳ１５０２へ進み、キャンセルボタンを押下した場合はステップＳ１５０３へスキップする。
【００６１】
（図１５：ステップＳ１５０２）
コンピュータ１２０は、試料変更画面１２０１を画面表示する。ユーザは同画面上で試料名を変更する。
【００６２】
（図１５：ステップＳ１５０３）
コンピュータ１２０は、後述の図１６で説明する確認ダイアログ１６０１を画面表示する。ユーザが同ダイアログ上で変更ボタンを押下した場合はステップＳ１５０４へ進み、キャンセルボタンを押下した場合は本フローチャートを終了する。
【００６３】
（図１５：ステップＳ１５０４）
コンピュータ１２０は、レイアウト変更画面５０１を画面表示する。ユーザは同画面上でツールバー４０３に配置する操作コンポーネントを変更する。コンピュータ１２０は同画面上において、ツールバー４０３に配置する操作コンポーネントを推奨することもできる。
【００６４】
図１６は、ステップＳ１５０３において表示する確認ダイアログ１６０１の画面構成例である。確認ダイアログ１６０１は、変更ボタン１６０２とキャンセルボタン１６０３を有する。
【００６５】
本実施形態３によれば、試料室を真空排気するために必要な時間を有効活用することができる。試料室を真空排気するのは、試料１１５を交換するタイミングであることが多いので、これにともなって試料名とツールバー４０３のレイアウトを変更する必要がある。真空排気時間中にこれを実施することにより、真空排気のための待機時間を有効に活用することができる。
【００６６】
＜本発明の変形例について＞
本発明は、前述した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００６７】
以上の実施形態において、各装置をそれぞれ別装置として実装する必要はなく、複数の機能を備えた装置またはその組み合わせによって実施されてもよい。例えばＧＵＩ表示装置１３０とＧＵＩ操作装置１４０は、タッチパネルのように表示機能と操作機能を兼ね備えた装置によって実装してもよい。
【００６８】
以上の実施形態において、データベース１２３はコンピュータ１２０の内部に保持していてもよいし、外部記憶装置上にデータベースを構成してコンピュータ１２０がそれを利用してもよい。
【００６９】
ツールバー４０３が備える操作コンポーネントは、荷電粒子線装置１００が備える機能を呼び出すことができるものであれば、種別は問わない。例えばボタン、スライダ、チェックボックス、テキストボックス、などが考えられる。また操作画面４０１が備えるコンポーネントセットは、必ずしもツールバーに限られるものではなく、例えば操作コンポーネントを集約したパネルやタブなどの形態であってもよい。すなわち、操作画面４０１上における表示エリアサイズが限られている場合において、画面表示する操作コンポーネントを履歴にしたがって選択する限りにおいて、本発明を適用することができる。
【００７０】
以上の実施形態においては、試料１１５に対して電子線を照射することにより観察画像を取得する構成例を説明したが、その他タイプの荷電粒子線装置においても、ツールバー４０３上に配置する操作コンポーネントについて本発明を適用することができる。
【００７１】
実施形態２において、観察画像を取得する際に試料名を変更することを説明したが、その他タイプの荷電粒子線装置においても同様の処理を実施することができる。例えばＦＩＢ（Ｆｏｃｕｓｅｄ  Ｉｏｎ  Ｂｅａｍ）装置であれば、試料１１５に対してＦＩＢを照射してから、次にＦＩＢを照射するまでの間に、何らかの機能を実施した上で試料名を変更した場合、その変更後の試料名は、２回目のＦＩＢ照射に対応していると考えられる。したがって図１３において、観察画像取得のステップをＦＩＢ照射に置き換えれば、実施形態２と同様の動作を実施できる。
【００７２】
上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７３】
１００：荷電粒子線装置
１１０：画像取得装置
１１１：排気装置
１１２：荷電粒子銃
１１３：荷電粒子線
１１４：レンズ
１１５：試料
１１６：荷電粒子
１１７：検出器
１１９：ステージ
１２０：コンピュータ
１２１：画像取得装置制御部
１２２：画像処理部
１２３：データベース
１２４：全体制御部
１３０：ＧＵＩ表示装置
１４０：ＧＵＩ操作装置
４０３：ツールバー
５０２：全要素リスト
５０３：オススメ要素リスト
５０４：ツールバーリスト
５１０：プレビュー表示部
５１１：残り広さ表示部
５１６：並びの最適化ボタン
６０１：試料データベース
６０２：履歴データベース
６０３：統計データベース
６０４：レイアウトデータベース
６０５：統計処理部
【図１】
2020021649.tif 000003
【図２】
2020021649.tif 000004
【図３】
2020021649.tif 000005
【図４】
2020021649.tif 000006
【図５】
2020021649.tif 000007
【図６】
2020021649.tif 000008
【図７】
2020021649.tif 000009
【図８】
2020021649.tif 000010
【図９】
2020021649.tif 000011
【図１０】
2020021649.tif 000012
【図１１】
2020021649.tif 000013
【図１２】
2020021649.tif 000014
【図１３】
2020021649.tif 000015
【図１４】
2020021649.tif 000016
【図１５】
2020021649.tif 000017
【図１６】
2020021649.tif 000018
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
荷電粒子線を試料に対して照射する荷電粒子線装置であって、
前記荷電粒子線装置の動作を指定する操作を入力するための画面インターフェースを提供するコンピュータを備え、
前記コンピュータは、前記荷電粒子線装置が実施する動作を指定する操作コンポーネントを１以上並べて配置したコンポーネントセットを、前記画面インターフェース上に配置し、
前記荷電粒子線装置は、前記荷電粒子線を前記試料に対して照射することにより前記試料の観察画像を取得する装置として構成されており、
前記コンピュータは、前記動作が実施された履歴と、取得した観察画像の品質を表す評価値の履歴と、を格納する記憶装置を備え、
前記コンピュータは、前記動作が実施された履歴と前記評価値の履歴の少なくともいずれかに基づいて、前記コンポーネントセット上に配置することを推奨する前記操作コンポーネントを提示する
ことを特徴とする荷電粒子線装置。
【請求項２】
前記コンピュータは、前記評価値を複数の項目について算出し、
前記コンピュータは、前記複数の項目のなかで前記評価値が低いものについて前記評価値を向上させることができる前記動作を指定する前記操作コンポーネントを、他の前記操作コンポーネントよりも優先して、前記コンポーネントセット上に配置することを推奨する
ことを特徴とする請求項１記載の荷電粒子線装置。
【請求項３】
前記記憶装置は、前記試料の識別子ごとに前記動作が実施された履歴および前記評価値の履歴を格納し、
前記コンピュータは、前記試料の識別子を指定する試料指定を受け取る試料指定インターフェースを有し、
前記コンピュータは、前記試料指定インターフェースによって指定された前記試料の識別子に対応する、前記動作が実施された履歴および前記評価値の履歴にしたがって、前記コンポーネントセット上に配置することを推奨する前記操作コンポーネントを提示する
ことを特徴とする請求項１記載の荷電粒子線装置。
【請求項４】
荷電粒子線を試料に対して照射する荷電粒子線装置であって、
前記荷電粒子線装置の動作を指定する操作を入力するための画面インターフェースを提供するコンピュータを備え、
前記コンピュータは、前記荷電粒子線装置が実施する動作を指定する操作コンポーネントを１以上並べて配置したコンポーネントセットを、前記画面インターフェース上に配置し、
前記コンピュータは、前記動作が実施された履歴を格納する記憶装置を備え、
前記コンピュータは、前記履歴に基づいて、前記コンポーネントセット上に配置することを推奨する前記操作コンポーネントを提示し、
前記コンピュータは、前記操作コンポーネントを前記コンポーネントセット上に配置したとき前記コンポーネントセット上において占める画面サイズを計算し、
前記コンピュータは、前記操作コンポーネントを前記コンポーネントセット上に仮配置することにより、前記コンポーネントセットのプレビューを生成し、
前記コンピュータは、前記画面サイズを用いて、前記プレビュー上において前記操作コンポーネントが配置されていない余剰部分のサイズを算出するとともに、その算出した前記余剰部分のサイズを前記プレビュー上において提示する
ことを特徴とする荷電粒子線装置。
【請求項５】
前記コンピュータは、前記荷電粒子線装置が前記荷電粒子線を照射し始めてから、前記荷電粒子線装置が前記荷電粒子線を照射し終えるまでの間の期間において、前記コンポーネントセット上に配置することを推奨する前記操作コンポーネントを提示する
ことを特徴とする請求項１記載の荷電粒子線装置。
【請求項６】
前記コンピュータは、前記荷電粒子線装置が前記荷電粒子線を照射する第１照射期間が完了してから、前記荷電粒子線装置が前記荷電粒子線を照射する第２照射期間が完了するまでの中間期間において、前記動作を実施した場合は、前記中間期間において実施した前記動作を前記第２照射期間に対応付けて前記記憶装置に格納する
ことを特徴とする請求項１記載の荷電粒子線装置。
【請求項７】
前記記憶装置は、前記試料の識別子ごとに前記履歴を記録し、
前記コンピュータは、前記試料の識別子を指定する試料指定を受け取る試料指定インターフェースを有し、
前記コンピュータは、前記中間期間において、前記試料指定インターフェースを介して前記試料指定を受け取った場合は、前記中間期間において実施した前記動作を、前記試料指定が指定する前記試料の識別子に対応付けて前記記憶装置に格納する
ことを特徴とする請求項６記載の荷電粒子線装置。
【請求項８】
前記荷電粒子線装置はさらに、前記荷電粒子線装置の内部を真空排気する排気装置を備え、
前記コンピュータは、前記排気装置が前記真空排気を実施している間の期間において、前記コンポーネントセット上に配置することを推奨する前記操作コンポーネントを提示する
ことを特徴とする請求項１記載の荷電粒子線装置。
【請求項９】
前記荷電粒子線装置は、前記荷電粒子線として電子線を照射するとともに、前記電子線を前記試料に対して照射する位置を走査することにより、前記試料の観察画像を取得する
ことを特徴とする請求項１記載の荷電粒子線装置。
【請求項１０】
前記コンピュータは、前記試料指定インターフェースに、前記試料の識別子ごとに、対応する前記観察画像を表示する
ことを特徴とする請求項３記載の荷電粒子線装置。
【請求項１１】
前記コンピュータは、前記試料指定インターフェースに表示する前記観察画像を前記評価値に基づいて選択する
ことを特徴とする請求項１０記載の荷電粒子線装置。
【国際調査報告】
2020021649.tif 000019
2020021649.tif 000020
2020021649.tif 000021